Podtech/llm-jp-corpus-v4-ja_patent huggingface dataset:
【手続補正書】
【提出日】平成20年8月11日(2008.8.11)
【手続補正１】
【補正対象書類名】特許請求の範囲
【補正対象項目名】全文
【補正方法】変更
【補正の内容】
【特許請求の範囲】
【請求項１】
顧客位置でカスタマイズされたシガレット容器を生成するための装置であって、
顧客位置でシガレットを格納するためのリザーバ（６）と、
顧客注文に応じて前記顧客位置で前記リザーバ（６）から予め選択された数のシガレットを自動的に取り出すためのディスペンサと、
前記顧客位置で顧客注文を受け取り、該顧客注文を前記ディスペンサに伝えるようになったコンピュータ手段と、
前記取り出された予め選択された数のシガレットを前記顧客位置で容器内に自動的に詰め込むための包装機と、
を含むことを特徴とする装置。
【請求項２】
前記包装機は、前記容器を密封するための手段を更に含むことを特徴とする請求項１に記載の装置。
【請求項３】
前記包装機は、少なくとも部分真空下で前記容器を密封するための手段を含むことを特徴とする請求項１に記載の装置。
【請求項４】
前記リザーバから取り出された前記予め選択された数のシガレットの各々の少なくとも一端を検査するための検査手段を更に含むことを特徴とする請求項１に記載の装置。
【請求項５】
前記顧客位置で２つ又はそれよりも多くの異なる種類の容器を格納するための格納手段を更に含むことを特徴とする請求項１に記載の装置。
【請求項６】
前記包装機は、前記顧客注文に応じて前記格納手段から前記２つ又はそれよりも多くの異なる種類のうちの予め選択した１つの容器を自動的に取り出すための手段を含むことを特徴とする請求項５に記載の装置。
【請求項７】
前記顧客位置でシガレットを格納するための２つ又はそれよりも多くの個別のリザーバを含み、各リザーバには、そこにシガレットを供給するための手段が別々に設けられていることを特徴とする請求項１に記載の装置。
【請求項８】
前記コンピュータ手段には、前記顧客によって選択可能な予めプログラムされた顧客注文の組が設けられていることを特徴とする請求項１に記載の装置。
【請求項９】
顧客位置でカスタマイズされたシガレット容器を生成する方法であって、
顧客位置にシガレットのリザーバを設ける段階と、
顧客注文に応じて前記リザーバから予め選択された数のシガレットを自動的に取り出す段階と、
前記取り出された予め選択された数のシガレットを容器内に詰め込む段階と、
を含むことを特徴とする方法。
【請求項１０】
請求項１に記載の装置又は請求項９に記載の方法によって生成された実質的に気密性のカスタマイズされたシガレット容器であって、
蓋部分と、
本体部分と、
実質的に空気及び水分不透過性膜をその上面に添付したカラーと、
を含み、
前記カラーは、前記本体部分内に装着され、かつ容器内でシガレットの上端を取り囲んでいる、
ことを特徴とする容器。
【手続補正書】
【提出日】平成20年5月14日(2008.5.14)
【手続補正１】
【補正対象書類名】特許請求の範囲
【補正対象項目名】全文
【補正方法】変更
【補正の内容】
【特許請求の範囲】
【請求項１】
管または中空形材（１１）内に内側異形部（１８）を製作するための方法において、当該方法が、以下の特徴：すなわち、
管または中空形材（１１）を支持スリーブ（１２）内に、第１の管端部（１９）を軸方向で支持して挿入し；
押圧負荷される環状ラム（１６）を他方の管端部（２０）に載着し；
外側異形部を備えた成形ラム（１５）を管または中空形材（１１）内に前記管端部（２０）から、内側異形部（１８）を形成するために圧入し；
環状ラム（１６）を押圧負荷下で成形ラム（１５）の圧入と逆方向に後退させる；
を備えていることを特徴とする、管または中空形材内に内側異形部を製作するための方法。
【手続補正２】
【補正対象書類名】明細書
【補正対象項目名】０００５
【補正方法】変更
【補正の内容】
【０００５】
この課題を解決するために本発明の方法では、管または中空形材内に内側異形部を製作するための方法において、当該方法が、以下の特徴：すなわち、管または中空形材を支持スリーブ内に、第１の管端部を軸方向で支持して挿入し；押圧負荷される環状ラムを他方の管端部に載着し；外側異形部を備えた成形ラムを管または中空形材内に前記管端部から、内側異形部を形成するために圧入し；環状ラムを押圧負荷下で成形ラムの圧入と逆方向に後退させる；を備えているようにした。
本発明の方法の有利な実施態様によれば、環状ラムの押圧負荷を後退量の増加につれて低減させる。
本発明の方法の有利な実施態様によれば、変形加工箇所における管または中空形材と支持スリーブとの間の集中された壁摩擦と、環状ラムに対する押圧負荷との総和がほぼコンスタントに保たれるように、環状ラムの押圧負荷を低減させる。
本発明の方法の有利な実施態様によれば、内側異形部が歯付き軸異形部である。
本発明の方法の有利な実施態様によれば、内側異形部がボール路異形部である。
【手続補正書】
【提出日】平成20年8月12日(2008.8.12)
【手続補正１】
【補正対象書類名】特許請求の範囲
【補正対象項目名】全文
【補正方法】変更
【補正の内容】
【特許請求の範囲】
【請求項１】
使用者が作動させる物質分配装置であって、該装置は、
或る量の物質を格納する容器、
容器に連結してあって、オリフィスを通して或る量の物質を分配する物質分配組立体、
容器に連結したカバーであって、それは物質分配組立体の上方に設けた、前壁および後壁を有する部材を含み、それぞれの壁は部材の幅を規定する幅、および互いに間隙を介して部材の厚みを規定する間隔を有する上記カバー
を含み、ここで
部材の幅は、部材の厚みよりも大きく、
開口部は、前壁および後壁を介して、部材を通過して完全に伸びており、
分配装置は、オリフィスをカバーして物質の分配を遮断する非作動位置、および物質をオリフィスから使用者に自由に分配する作動位置を有し、そして
使用者が、指を開口部に挿入し、物質分配組立体に軸平面圧力を付与することにより物質分配組立体を作動させて、物質分配装置を非作動位置から作動位置へ移動させる、
前記の物質分配装置。
【請求項２】
部材がアーチ型の部材である、請求項１に記載の分配装置。
【請求項３】
開口部がほぼ円形の開口部である、請求項１に記載の分配装置。
【請求項４】
開口部が、前壁で小さく、後壁で大きくなっている、請求項１に記載の分配装置。
【請求項５】
さらに、物質分配組立体に作動可能に連結していて、部材の開口部内で上下に滑らせることができるボタンを含み、ここで使用者がボタンに圧力を付与して物質分配組立体を作動させる、請求項１に記載の分配装置。
【請求項６】
さらに、部材の開口部内で滑らせることができるボタンを含み、ボタンが前壁から後壁の方へ向かって幅を広げている、請求項１に記載の分配装置。
【請求項７】
ボタンが前壁から後壁の方へ傾斜している、請求項１に記載の分配装置。
【請求項８】
使用者のための液体分配装置であって、該装置は、
或る量の液体を格納する容器、
容器から液体を分配するために容器について移動可能なポンプヘッドを有する、容器内のポンプ組立体、
容器に連結したカバー部材であって、使用者の指が貫通して挿入する寸法の開口部を有し、そしてカバー部材を貫通してカバー部材の後壁からカバー部材の前壁に完全に伸びているカバー部材、および
カバー部材の開口部内で休止位置から分配位置へ滑らせることができるボタンであって、ポンプ組立体のポンプヘッドに接触し、ポンプヘッドを移動させて容器から液体を分配するためのボタン
を含む、前記の液体分配装置。
【請求項９】
第１の孔がカバー部材中に設けられている、請求項８に記載の装置。
【請求項１０】
孔が長い楕円形の形を有する、請求項９に記載の装置。
【請求項１１】
使用者のための液体分配装置であって、該装置は、
或る量の液体を格納する容器、
容器から液体を分配させるために容器について移動可能なポンプヘッドを有する容器内にあるポンプ組立体、
容器に連結したカバー部材であって、そこに設けられた第１の孔、および使用者の指が貫通して挿入する寸法の開口部を有し、該開口部は、カバー部材を貫通してカバー部材の後壁からカバー部材の前壁まで完全に伸びているカバー部材、および
カバー部材の開口部内で休止位置から分配位置へ滑らせることができるボタンであって、ポンプ組立体のポンプヘッドに接触し、ポンプヘッドを移動させて容器から液体を分配し、ノズルと選択的に整合できる第２の孔を有するボタンが設けられているボタン
を含む、前記の液体分配装置。
【請求項１２】
第２の孔が第１の孔と選択的に整合可能である、請求項１１に記載の装置。
【請求項１３】
ボタンが休止位置から、分配位置への中間位置まで移動する、請求項１２に記載の装置。
【請求項１４】
ボタンが休止位置にある時に第１の孔が第２の孔に整合していない、請求項１３に記載の装置。
【請求項１５】
ボタンが中間位置にある時に第１の孔が第２の孔に整合している、請求項１４に記載の装置。
【請求項１６】
ボタンを中間位置から分配位置まで移動する時にポンプ組立体を作動させて容器から液体を分配する、請求項１５に記載の装置。
【請求項１７】
さらに、カバー部材に連結したキー・チェーンを含む、請求項８に記載の装置。
【請求項１８】
物質分配組立体が、ポンプ、および弁を有する加圧キャニスタのうち少なくとも一方を含む、請求項１に記載の装置。
【請求項１９】
ポンプ組立体が、
容器と流体連絡しているディップ管、
ディップ管と流体連絡しているポンプ機構；および
ポンプ機構と流体連絡しているノズル
を含む、請求項１１に記載の装置。
【請求項２０】
さらに、ハウジングの内部に設けてあって、ポンプ組立体に連結したカラーを含む、請求項８に記載の装置。
【請求項２１】
ボタンを、休止位置でポンプヘッドと接触していない状態から分配位置でポンプヘッドと接触している状態まで移動する、請求項８に記載の装置。
【請求項２２】
さらに、分配装置が非作動位置にある場合に分配物質から物質分配組立体を選択的に遮断することができるように適当な位置に置いた保護シールド組立体を含む、請求項１に記載の装置。
【請求項２３】
保護シールド組立体が移動可能であって、分配装置が作動位置にある場合に物質分配組立体を遮断しないで物質の分配を可能にすることができる、請求項２２に記載の装置。
【手続補正書】
【提出日】平成20年5月29日(2008.5.29)
【手続補正１】
【補正対象書類名】特許請求の範囲
【補正対象項目名】全文
【補正方法】変更
【補正の内容】
【特許請求の範囲】
【請求項１】
人の髪の毛と結合可能なポリマーでグラフト化されたポリサッカライドポリマーを含むグラフトコポリマー。
【請求項２】
該グラフトコポリマーが、ポリサッカライドポリマー骨格にグラフト化された人の髪の毛と、結合可能な１以上のブロックのポリマーを含む請求項１のグラフトコポリマー。
【請求項３】
該グラフト化が以下を含む混合物の暴露によって開始される請求項２のグラフトコポリマー： 
(ａ)ポリサッカライドポリマー、および、
(ｂ)１以上の： 
(ｂ)(ｉ)人の髪の毛と結合可能なポリマー、または、
(ｂ)(ｉｉ)人の髪の毛と結合可能なポリマーのポリマー前駆体、または、
(ｂ)(ｉｉｉ)人の髪の毛と結合可能なポリマーの１以上の不飽和モノマー前駆体、
であってイオン化照射されるポリマー。
【請求項４】
該ポリマーの前駆体または該モノマーの前駆体から得られるブロックが、カチオン性を与え続いてグラフト化する請求項３のグラフトコポリマー。
【請求項５】
該混合物がモノマーの分子当たり少なくとも１つのエチレン性の不飽和のサイト、およびモノマーの分子当たり少なくとも１つの含窒素官能基を含む、１以上の不飽和モノマーを含む請求項３のグラフトコポリマー。
【請求項６】
該ポリサッカライドポリマー骨格が、ポリガラクトマンナン、キサンタン、ポリフルクトース、でんぷん、でんぷん誘導体、セルロース、セルロース誘導体、およびそれらの混合物から選択されたポリマーから誘導される請求項２のグラフトコポリマー。
【請求項７】
該ポリサッカライドポリマー骨格が、グラフト化前に、２、０００、０００〜５、０００、０００グラム/モルの重量平均分子量を有するグアーゴムから誘導されている請求項２のグラフトコポリマー。
【請求項８】
該グラフトコポリマーが、人の髪の毛と結合可能でない１以上のポリマーのポリサッカライドポリマー骨格に、グラフト化されたブロックを含む請求項２のグラフトコポリマー。
【請求項９】
該人の髪の毛に結合可能なポリマーが、カチオン性ポリマーを含む請求項１のグラフトコポリマー。
【請求項１０】
該人の髪の毛に結合可能なポリマーが、ポリアミドポリマー、ポリウレタンポリマー、およびポリウレイドポリマーから選択された中性のポリマーを含む請求項１のグラフトコポリマー。
【請求項１１】
該人の髪の毛に結合可能なポリマーが、四級化されたポリサッカライドゴムから選択された、カチオン性ポリマーを含む請求項１のグラフトコポリマー。
【請求項１２】
該人の髪の毛に結合可能なポリマーが、カチオン性付加ポリマーおよびカチオン性縮合ポリマーから選択された、カチオン性合成ポリマーを含む請求項１のグラフトコポリマー。
【請求項１３】
該人の髪の毛に結合可能なポリマーがポリマーの第四級アンモニウム塩を含む請求項１のグラフトコポリマー。
【請求項１４】
以下を含むグラフトコポリマーの製造方法：
ポリサッカライドポリマーおよび人の髪の毛に結合可能なポリマーを混合する工程、および、
該グラフトコポリマーを形成するために、電子線照射でポリマー混合物を照射する工程。
【請求項１５】
ポリマー混合物が、０.５〜２０メガラッドの照射線量で照射される請求項１４の方法。
【請求項１６】
請求項１のグラフトコポリマーおよび担体を含むヘアケア組成物。
【請求項１７】
該担体が水を含む請求項１６のヘアケア組成物。
【請求項１８】
該ヘアケア組成物が、シャンプー組成物、ヘアーコンディショナー組成物、およびヘアースタイリング組成物から選択される請求項１６のヘアケア組成物。
【請求項１９】
該ヘアケア組成物が、ヘアースタイリングゲル、ヘアースタイリングムース、およびヘアースタイリングスプレーから選択されたヘアースタイリング生産物である請求項１６のヘアケア組成物。
【請求項２０】
該ヘアケア組成物が、シャンプー組成物、またはヘアーコンディショナー組成物であって、さらに１以上の界面活性剤を含む請求項１６のヘアケア組成物。
【手続補正書】
【提出日】平成20年7月4日(2008.7.4)
【手続補正１】
【補正対象書類名】特許請求の範囲
【補正対象項目名】全文
【補正方法】変更
【補正の内容】
【特許請求の範囲】
【請求項１】
超高純度の工業製品を提供するための方法であって、
Ａ）不純物を含有するオレフィン重合材料を提供すること、
Ｂ）該オレフィン重合材料を、低くとも約４０００ｐｓｉ（２８１.２３ｋｇ／ｃｍ２）の圧力で、約３５℃およびそれより高い温度で、超臨界ＣＯ２に付し、ここで、該オレフィン重合材料を、超臨界ＣＯ２流の流通期間と、ＣＯ２流はないが超臨界ＣＯ２環境である静止期間が交互に連続する超臨界ＣＯ２に付し、オレフィン重合材料から不純物を抽出し、超高純度のオレフィン重合材料を産生すること（ここで、精製されたオレフィン材料中の検出可能な不純物のレベルは、約５ｐｐｍより低い）および、
Ｃ）該超高純度のオレフィン重合材料から超高純度の工業製品を成形すること（ここで、不純物は再発生しない）、
を含む方法。
【請求項２】
該超臨界ＣＯ２が、約４０００ｐｓｉ（２８１.２３ｋｇ／ｃｍ２）ないし約１０,０００ｐｓｉ（７０３.６７ｋｇ.ｃｍ２）の圧力、約５０℃ないし約１２０℃の温度である、請求項１に記載の方法。
【請求項３】
該超臨界ＣＯ２が、約９５００ｐｓｉ（６６７.９２ｋｇ／ｃｍ２）の圧力および約１００℃ないし約１２０℃の温度である、請求項２に記載の方法。
【請求項４】
該オレフィンのポリマーが、ポリエチレン、ポリプロピレン、ポリブテンおよびポリメチルペンテンからなる群から選択される、請求項１に記載の方法。
【請求項５】
該オレフィンのポリマーが、ポリエチレン、ポリプロピレン、ポリブテンおよびポリメチルペンテンからなる群から選択される、請求項３に記載の方法。
【請求項６】
該オレフィンのポリマーがポリプロピレンである、請求項１に記載の方法。
【請求項７】
該オレフィンのポリマーがポリプロピレンである、請求項３に記載の方法。
【請求項８】
該オレフィン重合材料を約１０ないし約２０Ｌ／分のＣＯ２流速で超臨界ＣＯ２に付す、請求項１に記載の方法。
【請求項９】
該ポリプロピレン材料を約１０ないし約２０Ｌ／分のＣＯ２流速で超臨界ＣＯ２に付す、請求項７に記載の方法。
【請求項１０】
該オレフィン重合材料を約１０ないし約２０Ｌ／分のＣＯ２流速で超臨界ＣＯ２に付す、請求項２に記載の方法。
【請求項１１】
該オレフィン重合材料を約１０ないし約２０Ｌ／分のＣＯ２流速で超臨界ＣＯ２に付す、請求項３に記載の方法。
【請求項１２】
該オレフィン重合材料を約１０ないし約２０Ｌ／分のＣＯ２流速で超臨界ＣＯ２に付す、請求項４に記載の方法。
【請求項１３】
請求項１に記載の方法により産生される、超高純度の工業製品。
【請求項１４】
該工業製品が、超高純度の化学物質または試薬の包装に使用しようとするボトルおよびドラム、実験器具および機器で使用しようとするビーカー、漏斗、分離漏斗、リアクターおよびチャンバー、プラスチックカラム、パイプ、チューブ、コネクター、篩およびアダプター、血液袋、酸素チューブ、静脈内の器具、経腸の食物または非経腸の栄養法の袋、インプラント、食物の包装および玩具からなる群から選択される、請求項１３に記載の超高純度の工業製品。
【手続補正書】
【提出日】平成20年7月29日(2008.7.29)
【手続補正１】
【補正対象書類名】特許請求の範囲
【補正対象項目名】全文
【補正方法】変更
【補正の内容】
【特許請求の範囲】
【請求項１】
少なくとも１の触媒と、少なくとも１の発泡剤および少なくとも１の酸とを合することを含み、ここに少なくとも１の発泡剤は水以外のものであることを特徴とする、ポリウレタンフォームを形成するための成分組成物中で触媒の活性を保持する方法。
【請求項２】
触媒を酸と独立して添加する請求項１記載の方法。
【請求項３】
触媒がアミン触媒を含む請求項１記載の方法。
【請求項４】
酸が有機酸を含む請求項１記載の方法。
【請求項５】
発泡剤がアルキルアルカノエートを含む請求項１記載の方法。
【請求項６】
アルキルアルカノエートがギ酸メチルを含む請求項５記載の方法。
【請求項７】
酸がギ酸を含む請求項６記載の方法。
【請求項８】
発泡剤がアルキルアルカノエートである請求項１記載の方法。
【請求項９】
アルキルアルカノエートがギ酸メチルである請求項８記載の方法。
【請求項１０】
酸がギ酸である請求項９記載の方法。
【請求項１１】
酸が触媒のモル当量の1重量%ないし500重量％存在する請求項１記載の方法。
【請求項１２】
酸が触媒のモル当量の10%ないし400%存在する請求項１１記載の方法。
【請求項１３】
酸が触媒のモル当量の50%ないし300%存在する請求項１２記載の方法。
【請求項１４】
少なくとも１の触媒；
少なくとも１の発泡剤；および
少なくとも１の酸を含み、
ここに少なくとも１の発泡剤が水以外のものであることを特徴とするポリウレタンフォームを製造することにおいて触媒の活性を保持するための成分。
【請求項１５】
少なくとも１のアミン触媒；
少なくとも１のアルキルアルカノエート；および
少なくとも１の有機酸
を含む、ポリウレタンフォームを製造することにおいて触媒の活性を保持するための成分。
【請求項１６】
触媒を酸と独立して添加する請求項１５記載の成分。
【請求項１７】
アルキルアルカノエートがギ酸メチルである請求項１５記載の成分。
【請求項１８】
有機酸がギ酸である請求項１７記載の成分。
【請求項１９】
酸が、アミン触媒のモル当量の1重量%ないし500重量％存在する請求項１４または１５記載の成分。
【請求項２０】
酸が、アミン触媒のモル当量の10%ないし400%存在する請求項１９記載の成分。
【請求項２１】
酸が、アミン触媒のモル当量の50%ないし300%存在する請求項２０記載の成分。
【請求項２２】
請求項１８記載の方法に従って製造した第１の成分を調製し；ついで
第１の成分と第２の成分とを混合し、第２の成分は少なくとも１のポリオールを含み、ここにポリウレタンフォームが形成される
方法に従って製造したポリウレタンフォーム。
【請求項２３】
触媒を酸と独立して添加する請求項２２記載のフォーム。
【請求項２４】
触媒がアミン触媒を含む請求項２２記載のフォーム。
【請求項２５】
酸が有機酸を含む請求項２２記載のフォーム。
【請求項２６】
発泡剤がアルキルアルカノエートを含む請求項２２記載のフォーム。
【請求項２７】
アルキルアルカノエートがギ酸メチルを含む請求項２６記載のフォーム。
【請求項２８】
有機酸がギ酸を含む請求項２７記載のフォーム。
【請求項２９】
発泡剤がアルキルアルカノエートである請求項２２記載のフォーム。
【請求項３０】
アルキルアルカノエートがギ酸メチルである請求項２９記載のフォーム。
【請求項３１】
有機酸がギ酸である請求項３０記載のフォーム。
【請求項３２】
有機酸がアミン触媒のモル当量の1ないし500重量％存在する請求項２２記載のフォーム。
【請求項３３】
酸がアミン触媒のモル当量の10ないし400％存在する請求項３２記載のフォーム。
【請求項３４】
酸がアミン触媒のモル当量の50ないし300％存在する請求項３３記載のフォーム。
【手続補正書】
【提出日】平成20年8月11日(2008.8.11)
【手続補正１】
【補正対象書類名】特許請求の範囲
【補正対象項目名】全文
【補正方法】変更
【補正の内容】
【特許請求の範囲】
【請求項１】
ヒドロキシチロソールに富む組成物を含み、
ヒドロキシチロソールに富む組成物を対象に投与し、
対象のホモシステインレベルをモニターし、
少なくとも７．５％のホモシステインレベルにおける低下をもたらすのに十分な量及び期間で継続して投与されることを特徴とする、
ヒト対象における炎症状態を治療するための医薬。
【請求項２】
前記ヒドロキシチロソールに富む組成物の、ヒドロキシチロソール対オレウロペインの重量比が約１０：１と約１００：１の間である、請求項１に記載の医薬。
【請求項３】
１日約５．４から１０．８ｍｇの間の全ポリフェノールを送達するのに有効な投与量で経口投与される、請求項２に記載の医薬。
【請求項４】
１日約２．５から５ｍｇの間のヒドロキシチロソールを送達するのに有効な投与量で経口投与される、請求項２に記載の医薬。
【請求項５】
前記モニターが、対象の血漿又は唾液のホモシステインレベルをモニターすることを含む、請求項１に記載の医薬。
【請求項６】
治療前のレベルに対して少なくとも約１２．５％のホモシステインの低下を達成するまで継続して投与される、請求項１に記載の医薬。
【請求項７】
治療前のレベルに対して少なくとも約１５％のホモシステインの低下を達成するまで継続して投与される、関節リウマチの治療に使用するための、請求項１に記載の医薬。
【請求項８】
治療前のレベルに対して少なくとも約２０％のホモシステインの低下を達成するまで継続して投与される、関節リウマチの治療に使用するための、請求項７に記載の医薬。
【請求項９】
治療前のレベルに対して少なくとも約２０％のホモシステインの低下を達成するまで継続して投与される、血管疾患の炎症状態の治療に使用するための、請求項１に記載の医薬。
【請求項１０】
ヒドロキシチロソールに富む組成物を含み、
血漿ホモシステインレベルをホモシステインの正常範囲内に低下させるのに有効な量及び期間で、ヒドロキシチロソールに富む組成物が対象に投与されることを特徴とする、
ホモシステインレベルの上昇に関連する炎症疾患の危険のある対象におけるホモシステインの血漿レベルを低下させるための医薬。
【請求項１１】
前記ヒドロキシチロソールに富む組成物の、ヒドロキシチロソール対オレウロペインの重量比が約１０：１と約１００：１の間である、請求項１０に記載の医薬。
【請求項１２】
１日約２．５から５ｍｇの間のヒドロキシチロソールを送達するのに有効な投与量で経口投与される、請求項１１に記載の医薬。
【請求項１３】
治療前のレベルに対して少なくとも約７．５％のホモシステインの低下を達成するまで継続して投与される、請求項１０に記載の医薬。
【請求項１４】
ヒドロキシチロソールに富む組成物を含み、
患者の血漿ホモシステインをホモシステインの正常範囲内に低下させるのに有効な投与量及び期間で、ヒドロキシチロソールに富む組成物が対象に投与されることを特徴とする、
血漿ホモシステインレベルの上昇を有する患者における心臓血管疾患の危険を低下させるための医薬。
【請求項１５】
前記ヒドロキシチロソールに富む組成物の、ヒドロキシチロソール対オレウロペインの重量比が約１０：１と約１００：１の間である、請求項１４に記載の医薬。
【請求項１６】
１日約２．５から５ｍｇの間のヒドロキシチロソールを送達するのに有効な投与量で経口投与される、請求項１４に記載の医薬。
【請求項１７】
治療前のレベルに対して少なくとも約７．５％のホモシステインの低下を達成するまで継続して投与される、請求項１４に記載の医薬。
【請求項１８】
ヒドロキシチロソールに富む組成物を含み、
患者のＣ反応性タンパク質（ＣＲＰ）レベルを正常範囲内に低下させるのに有効な投与量及び期間で、ヒドロキシチロソールに富む組成物が対象に投与されることを特徴とする、
血漿ＣＲＰレベルの上昇を有する対象における心臓血管疾患の危険を低下させるための医薬。
【請求項１９】
ヒドロキシチロソールに富む組成物を含み、
ヒドロキシチロソールに富む組成物を、反応性の対象における血漿ホモシステインレベルを実質的に低下させるのに有効な投与量及び期間で投与し、
対象のホモシステインレベルをモニターし、
対象のホモシステインレベルが正常範囲内に低下した場合に、対象を反応性の対象として同定することを特徴とする、
炎症状態に関連する血漿ホモシステインレベルの上昇を有するヒト対象の集団から、ヒドロキシチロソールに富む組成物が経口投与されることにより治療に最も大きな反応を示すであろう反応性の対象を同定するための医薬。
【請求項２０】
前記モニターが、対象の血漿又は唾液のホモシステインレベルをモニターすることを含む、請求項１９に記載の医薬。
【請求項２１】
ヒドロキシチロソールに富む組成物を含み、
ヒドロキシチロソールに富む組成物を対象に投与し、
対象のＣ反応性タンパク質（ＣＲＰ）レベルをモニターし、
少なくとも５０％のＣＲＰレベルの低下をもたらすのに十分な量及び期間で継続して投与されることを特徴とする、
ヒト対象における炎症状態を治療するための医薬。
【請求項２２】
前記ヒドロキシチロソールに富む組成物の、ヒドロキシチロソール対オレウロペインの重量比が約１０：１と約１００：１の間である、請求項２１に記載の医薬。
【請求項２３】
１日約５．４から１０．８ｍｇの間の全ポリフェノールを送達するのに有効な投与量で経口投与される、請求項２２に記載の医薬。
【請求項２４】
１日約２．５から５ｍｇの間のヒドロキシチロソールを送達するのに有効な投与量で経口投与される、請求項２２に記載の医薬。
【請求項２５】
ＣＲＰレベルの前記低下が治療前のレベルに対して少なくとも約７５％である、請求項２２に記載の医薬。
【請求項２６】
前記炎症状態が関節リウマチである、請求項２２に記載の医薬。
【手続補正書】
【提出日】平成20年6月9日(2008.6.9)
【手続補正１】
【補正対象書類名】特許請求の範囲
【補正対象項目名】全文
【補正方法】変更
【補正の内容】
【特許請求の範囲】
【請求項１】
ＩＬ−１７Ａ及びＩＬ−１７Ｆのアンタゴニスト、及び医薬として許容される担体を含む、炎症性疾患の治療用医薬組成物であって、当該アンタゴニストが、以下の：
（ｉ）配列番号３に示すアミノ酸配列から成るポリペプチドに結合する抗体又は抗体断片、ここで当該抗体又は抗体断片は、ＩＬ−１７Ａ又はＩＬ−１７Ｆのいずれかと、配列番号２のアミノ酸配列を有するポリペプチドとの相互作用を阻害することができる；及び
（ii）配列番号３に示すアミノ酸配列を有するポリペプチド又はＩＬ−１７Ａ又はＩＬ−１７Ｆに結合することができるその断片を含み、又は配列番号３に少なくとも９０％同一であるアミノ酸配列を有し、かつ、ＩＬ−１７Ａ又はＩＬ−１７Ｆに結合することができるポリペプチドを含む可溶性受容体タンパク質、
から選ばれる前記組成物。
【請求項２】
前記ＩＬ−１７Ａ及びＩＬ−１７Ｆのアンタゴニストが、前記（ii）の可溶性受容体タンパク質である、請求項１に記載の組成物。
【請求項３】
前記可溶性受容体タンパク質が、可溶性融合タンパク質である、請求項２に記載の組成物。
【請求項４】
前記可溶性融合タンパク質は、免疫グロブリン重鎖定常領域をさらに含む、請求項３に記載の組成物。
【請求項５】
前記免疫グロブリン重鎖定常領域が、Ｆｃ断片である、請求項４に記載の組成物。
【請求項６】
前記ＩＬ−１７Ａ及びＩＬ−１７ＦがＰＥＧ化されている、請求項１〜５のいずれか１項に記載の組成物。
【請求項７】
前記炎症性疾患が、炎症性腸疾患である、請求項１〜６のいずれか１項に記載の組成物。
【請求項８】
前記炎症性疾患が、多発性硬化症である、請求項１〜６のいずれか１項に記載の組成物。
【請求項９】
前記炎症性疾患が、喘息である、請求項１〜６のいずれか１項に記載の組成物。
【請求項１０】
前記炎症性疾患が、慢性炎症性疾患である、請求項１〜６のいずれか１項に記載の組成物。
【請求項１１】
前記慢性炎症性疾患が、炎症性腸疾患、多発性硬化症、関節炎、アトピー性皮膚炎、又は乾癬である、請求項１０に記載の組成物。
【請求項１２】
前記炎症性腸疾患が、潰瘍性結腸炎又はクローン病である、請求項１１に記載の組成物。
【請求項１３】
前記関節炎が、リウマチ様関節炎又は乾癬性関節炎である、請求項１１に記載の組成物。
【請求項１４】
前記疾患が急性炎症性疾患である、請求項１〜６のいずれか１項に記載の組成物。
【請求項１５】
前記急性炎症性疾患が、内毒素血症、敗血症、毒物ショック症候群又は感染性疾患である、請求項１４に記載の組成物。
【請求項１６】
前記炎症性疾患が、炎症性腸疾患、多発性硬化症、リウマチ様関節炎、乾癬性関節炎、変形性関節炎、ストレプトコッカス細胞壁（ＳＣＷ）−誘導関節炎、乾癬、喘息、慢性閉塞性肺疾患（ＣＯＰＤ）、成人呼吸性疾患（ＡＲＤ）、嚢胞性線維症、多発性臓器不全、細菌性肺炎、湿疹、腹膜炎症の結果としての腹部内接着及び／又は膿瘍、全身性エリトマトーデス（ＳＬＥ）、全身性硬化症、免疫仲介腎疾患、移植拒絶、移植片対宿主疾患（ＧＶＨＤ）、膵臓炎、Ｉ型糖尿病（ＩＤＤＭ）、重症筋無力症、内毒素血症、敗血症、毒物ショック症候群、再狭窄、川崎病、アミロイドーシス、憩室症、肝胆汁疾患、アテローム性動脈硬化症、敗血症性ショック、ヘルペス性間質性角膜炎、アトピー性皮膚炎、接触皮膚炎、気道過応答、慢性気管支炎、アレルギー性喘息、ネフローゼ症候群、及び歯肉炎／歯周炎から成る群から選ばれる、請求項１〜６のいずれか１項に記載の組成物。
【手続補正書】
【提出日】平成20年2月14日(2008.2.14)
【手続補正１】
【補正対象書類名】特許請求の範囲
【補正対象項目名】全文
【補正方法】変更
【補正の内容】
【特許請求の範囲】
【請求項１】
サンプル保管基質であって、
エラストマー基質；および
該エラストマー基質によって吸収された生物学的サンプル、
を備え、該エラストマー基質は、コードされており、
該生物学的サンプルの少なくとも一部は、該エラストマー基質から回収可能であり、そして
該エラストマー基質により吸収された生物学的サンプルは、該エラストマー基質により吸収されていない生物学的サンプルよりも分解に対する耐性が高い、
サンプル保管基質。
【請求項２】
前記エラストマー基質は、開放気泡フォーム、独立気泡フォーム、またはそれらの組み合わせを含有する、請求項１に記載のサンプル保管基質。
【請求項３】
前記エラストマー基質は、ポリウレタン、ポリビニルアルコール、セルロース、ポリエステル、およびポリスチレンからなる群より選択される材料を含有する、請求項１に記載のサンプル保管基質。
【請求項４】
前記エラストマー基質は、非圧縮状態の材料の容量の少なくとも１／１０まで可逆的に圧縮可能である材料を含有する、請求項１に記載のサンプル保管基質。
【請求項５】
前記エラストマー基質が、非圧縮状態の材料の容量の少なくとも２倍まで拡張可能な材料を含有する、請求項１に記載のサンプル保管基質。
【請求項６】
前記基質が実質的に水分を含まない、請求項１に記載のサンプル保管基質。
【請求項７】
前記生物学的サンプルが、核酸、ポリペプチド、血液、血清、血漿、生検細胞または組織、痰、粘液、脳脊髄液、毛髪、尿、大便、精液、あるいはこれらの組み合わせのサンプルである、請求項１に記載のサンプル保管基質。
【請求項８】
前記生物学的サンプルが、細胞、細菌、ウイルス、酵母、マイコプラズマ、またはこれらの組み合わせを含む、請求項１に記載のサンプル保管基質。
【請求項９】
前記基質が、緩衝剤、キレート剤、変性剤、界面活性剤、還元剤、抗酸化剤、プロテアーゼインヒビター、ヌクレアーゼインヒビター、抗菌剤、低水分吸収性糖類、またはこれらの組み合わせからなる群より選択される試薬をさらに含有する、請求項１に記載のサンプル保管基質。
【請求項１０】
前記生物学的サンプル中の核酸またはポリペプチドあるいはこれらの両方の少なくとも３０％が、前記基質から回収可能である、請求項１に記載のサンプル保管基質。
【請求項１１】
複数の区画を備えるアレイであって、各区画は、エラストマー基質を含み、該エラストマー基質は、コードされており、そして生物学的サンプルの保管のために適切である、アレイ。
【請求項１２】
前記エラストマー基質は、開放気泡フォーム、独立気泡フォーム、またはそれらの組み合わせを含有する、請求項１１に記載のアレイ。
【請求項１３】
前記エラストマー基質は、ポリウレタン、ポリビニルアルコール、セルロース、ポリエステル、およびポリスチレンからなる群より選択される材料を含有する、請求項１１に記載のアレイ。
【請求項１４】
前記エラストマー基質は、非圧縮状態の材料の容量の少なくとも１／１０まで可逆的に圧縮可能である材料を含有する、請求項１１に記載のアレイ。
【請求項１５】
前記エラストマー基質が、非圧縮状態の材料の容量の少なくとも２倍まで拡張可能な材料を含有する、請求項１１に記載のアレイ。
【請求項１６】
前記基質が実質的に水分を含まない、請求項１１に記載のアレイ。
【請求項１７】
前記基質が、緩衝剤、キレート剤、変性剤、界面活性剤、還元剤、抗酸化剤、プロテアーゼインヒビター、ヌクレアーゼインヒビター、抗菌剤、低水分吸収性糖類、またはこれらの組み合わせからなる群より選択される試薬をさらに含有する、請求項１１に記載のアレイ。
【請求項１８】
前記基質が、生物学的サンプルをさらに含む、請求項１１に記載のアレイ。
【請求項１９】
前記生物学的サンプルが、核酸、ポリペプチド、血液、血清、血漿、生検細胞または組織、痰、粘液、脳脊髄液、毛髪、尿、大便、精液、あるいはこれらの組み合わせのサンプルである、請求項１８に記載のアレイ。
【請求項２０】
前記生物学的サンプルが、細胞、細菌、ウイルス、酵母、マイコプラズマ、またはこれらの組み合わせを含む、請求項１８に記載のアレイ。
【請求項２１】
前記生物学的サンプルの核酸またはポリペプチドあるいはこれらの両方の少なくとも３０％が、前記基質から回収可能である、請求項１８に記載のアレイ。
【請求項２２】
エラストマー基質、溶出溶液、および該エラストマー基質を生物学的サンプルを保管するために使用するための指示書を備えるキットであって、該エラストマー基質は、コードされており、そして生物学的サンプルを保管するために適切であり、そして該溶出溶液は、該生物学的サンプルを該エラストマー基質から溶出するために適切である、キット。
【請求項２３】
前記エラストマー基質は、開放気泡フォーム、独立気泡フォーム、またはそれらの組み合わせを含有する、請求項２２に記載のキット。
【請求項２４】
前記エラストマー基質は、ポリウレタン、ポリビニルアルコール、セルロース、ポリエステル、およびポリスチレンからなる群より選択される材料を含有する、請求項２２に記載のキット。
【請求項２５】
生物学的サンプルを保管する方法であって、該方法は、該生物学的サンプルを、請求項１１において定義されるエラストマー基質と接触させる工程を包含する、方法。
【請求項２６】
前記エラストマー基質を前記生物学的サンプルと接触させた後に、該エラストマー基質から水分を減少させる工程をさらに包含する、請求項２５に記載の方法。
【請求項２７】
前記水分が、前記基質を圧縮することにより除去される、請求項２６に記載の方法。
【請求項２８】
前記水分が、空気乾燥により除去される、請求項２６に記載の方法。
【請求項２９】
請求項２５に記載の方法によって保管された生物学的サンプルを回収する方法であって、該方法は、請求項２５において定義される生物学的サンプルを含有する基質に液体溶液を添加する工程、および該液体溶液を該基質から除去する工程を包含し、該基質から除去される液体溶液は、該生物学的サンプルを含有する、方法。
【請求項３０】
前記液体溶液を除去する工程は、前記基質を圧縮することにより行われる、請求項２９に記載の方法。
【手続補正書】
【提出日】平成20年7月7日(2008.7.7)
【手続補正１】
【補正対象書類名】特許請求の範囲
【補正対象項目名】全文
【補正方法】変更
【補正の内容】
【特許請求の範囲】
【請求項１】
下記一般式（I）：
【化１】
2008509210.tif 000001
[式中、
Xは、-CO-Y-(R1)n、又はSO2-Y-(R1)nであり; 
Yは、シクロアルキルもしくはポリシクロアルキル基であり; 又はYは、シクロアルケニル又はポリシクロアルケニル基であり；
各R1は、独立に、水素原子、及び1〜20個の炭素原子のアルキル、ハロアルキル、アルコキシ、ハロアルコキシ、アルケニル、アルキニル又はアルキルアミノ基から選ばれ；
あるいは、各R1は、独立に、フルオロ、クロロ、ブロモ、ヨード、ヒドロキシ、オキシアルキル、アミノ、アミノアルキル及びアミノジアルキル基から選ばれ；並びに、
nは、1〜mの任意の整数であり、ここでmは、シクロ基Y上で許容される置換基の最大数である；
あるいは、R1は、ペプチド結合によって結合された1〜4個のペプチド部分を有するペプチド基から選ばれる。]
で表される化合物、又はその薬学的に許容される塩を含む、炎症性疾患を治療するための医薬組成物。
【請求項２】
下記式（I')：
【化２】
2008509210.tif 000002
[式中、Xは上記と同一の意味を有する。]
で表される化合物を含む、炎症性疾患を治療するための医薬組成物。
【請求項３】
活性成分として、下記式（I）：
【化３】
2008509210.tif 000003
[式中、
Xは、-CO-Y-(R1)n、又はSO2-Y-(R1)nであり; 
Yは、シクロアルキルもしくはポリシクロアルキル基であり; 又はYは、シクロアルケニル又はポリシクロアルケニル基であり；
各R1は、独立に、水素原子、及び1〜20個の炭素原子のアルキル、ハロアルキル、アルコキシ、ハロアルコキシ、アルケニル、アルキニル又はアルキルアミノ基から選ばれ；
あるいは、各R1は、独立に、フルオロ、クロロ、ブロモ、ヨード、ヒドロキシ、オキシアルキル、アミノ、アミノアルキル及びアミノジアルキル基から選ばれ；並びに、
nは、1〜mの任意の整数であり、ここでmは、シクロ基Y上で許容される置換基の最大数である；
あるいは、R1は、ペプチド結合によって結合された1〜4個のペプチド部分を有するペプチド基から選ばれる。]
で表される化合物又はその薬学的に許容される塩、及び少なくとも1つの薬学的に許容される賦形剤及び/又は担体を含む医薬組成物。
【請求項４】
活性成分として、下記式（I')：
【化４】
2008509210.tif 000004
[式中、Xは上記と同一の意味を有する。]
で表される化合物又はその薬学的に許容される塩、及び少なくとも1つの薬学的に許容される担体及び/又は賦形剤を含む医薬組成物。
【請求項５】
下記式（I）：
【化５】
2008509210.tif 000005
[式中、
Xは、-CO-Y-(R1)n、又はSO2-Y-(R1)nであり; 
Yは、シクロアルキルもしくはポリシクロアルキル基であり; 又はYは、シクロアルケニル又はポリシクロアルケニル基であり；
各R1は、独立に、水素原子、及び1〜20個の炭素原子のアルキル、ハロアルキル、アルコキシ、ハロアルコキシ、アルケニル、アルキニル又はアルキルアミノ基から選ばれ；
あるいは、各R1は、独立に、フルオロ、クロロ、ブロモ、ヨード、ヒドロキシ、オキシアルキル、アミノ、アミノアルキル及びアミノジアルキル基から選ばれ；並びに、
nは、1〜mの任意の整数であり、ここでmは、シクロ基Y上で許容される置換基の最大数である；
あるいは、R1は、ペプチド結合によって結合された1〜4個のペプチド部分を有するペプチド基から選ばれる。]
で表される化合物又はその薬学的に許容される塩。
【請求項６】
下記一般式（I'）：
【化６】
2008509210.tif 000006
[Xは上記と同一の意味を有する。]
で表される化合物又はその薬学的に許容される塩。
【請求項７】
Yの環又は複数の環が、α-炭素原子の結合角を本質的に四面体型（すなわち、SP3ハイブリッド結合）に束縛する、請求項５又は６記載の化合物又はその薬学的に許容される塩。
【請求項８】
以下：
(S)-3-(シクロへキサンカルボニル)アミノ-カプロラクタム;
(S)-3-(1'-メチルシクロヘキサンカルボニル)アミノ-カプロラクタム;
(S)-3-(シクロヘキセ-1'-エンカルボニル)アミノ-カプロラクタム; 
(S)-3-(trans-4'-ペンチルシクロヘキセン-1-カルボニル)アミノ-カプロラクタム; 
(S)-3-(4'-ペンチル[2,2,2]ビシクロ-オクタン-1-カルボニル)アミノ-カプロラクタム;
(S)-3-(1'-アダマンタンカルボニル)アミノ-カプロラクタム; 
(S)-3-(1'-アダマンタニルメタンカルボニル)アミノ-カプロラクタム; 
(S)-3-(3'-クロロ-1'-アダマンタンカルボニル)アミノ-カプロラクタム; 
(S)-3-(3',5'-ジメチル-1'-アダマンタンカルボニル)アミノ-カプロラクタム; 
(S)-3-(3',5',7'-トリメチル-1'-アダマンタンカルボニル)アミノ-カプロラクタム; 
及びそのスルホニルアナログ；並びにその薬学的に許容される塩からなる群より選ばれる、請求項５記載の化合物。
【請求項９】
(S)-3-(1'-アダマンタンカルボニル)アミノ-カプロラクタム又はその薬学的に許容される塩である、請求項５記載の化合物。
【請求項１０】
請求項５〜９のいずれか１項記載の化合物の抗-炎症量を含む、（任意の薬剤に対する逆炎症反応を含む）炎症性疾患の症状の治療、緩和又は予防のための医薬組成物であって、患者に投与される、前記組成物。
【請求項１１】
前記置換基R1が直鎖のアルキル基でない、請求項５又は６記載の化合物又はその薬学的に許容される塩。
【請求項１２】
前記置換基R1が分枝のアルキル基である、請求項５又は６記載の化合物又はその薬学的に許容される塩。
【請求項１３】
前記置換基R1がアルキル基でない、請求項５又は６記載の化合物又はその薬学的に許容される塩。
【請求項１４】
請求項５〜９及び１１〜１３のいずれか１項記載の化合物又はその薬学的に許容される塩、及び少なくとも1つの薬学的に許容される賦形剤及び/又は担体を含む、医薬組成物。
【請求項１５】
請求項５〜９及び１１〜１３のいずれか１項記載の化合物又はその薬学的に許容される塩、及び少なくとも1つの薬学的に許容される賦形剤及び/又は担体を含む、炎症性疾患を治療するための医薬組成物。
【請求項１６】
前記炎症性疾患が、自己免疫疾患、血管疾患、ウイルス感染又は複製、喘息、骨粗鬆症（低骨密度)、腫瘍成長、リウマチ様関節炎、臓器移植拒絶及び/又は遅延グラフト又は臓器機能、TNF-αレベルの上昇によって特徴付けられる疾患、乾癬、皮膚損傷、細胞内寄生虫によって引き起こされる疾患、アレルギー、アルツハイマー病、抗原誘導再生反応、免疫反応抑制、多発性硬化症、ALS、線維症及び接着形成からなる群より選ばれる、請求項１、２、１０及び１５のいずれか１項記載の医薬組成物。
【手続補正書】
【提出日】平成20年6月27日(2008.6.27)
【手続補正１】
【補正対象書類名】特許請求の範囲
【補正対象項目名】請求項１４
【補正方法】変更
【補正の内容】
【請求項１４】
前記添加剤がさらに、前記摩擦ライニングの少なくとも約２〜約１０総重量パーセントを構成する、請求項２に記載の摩擦ライニング。
【手続補正２】
【補正対象書類名】特許請求の範囲
【補正対象項目名】請求項２６
【補正方法】変更
【補正の内容】
【請求項２６】
少なくとも一種の前記バインダーが、フェノール樹脂及び変性樹脂からなる群から選択される、請求項２２に記載の摩擦ライニング。
【手続補正３】
【補正対象書類名】特許請求の範囲
【補正対象項目名】請求項３９
【補正方法】変更
【補正の内容】
【請求項３９】
Fe-Mo金属間化合物、酸化銅及び炭酸カルシウムの混合物を含む組成物であって、前記混合物はさらに、約５０〜約９９重量パーセントのFe-Mo金属間化合物、約１〜約５０重量パーセントの酸化銅と、約１〜約１０重量パーセントの炭酸カルシウムを含む、前記組成物。
【手続補正書】
【提出日】平成20年7月25日(2008.7.25)
【手続補正１】
【補正対象書類名】特許請求の範囲
【補正対象項目名】全文
【補正方法】変更
【補正の内容】
【特許請求の範囲】
【請求項１】
（ｉ）部分的にブロックされたポリイソシアネート及び繊維反応基で部分的に変性されたポリイソシアネートの群から選択される少なくとも１種のポリイソシアネート誘導体と（ｉｉ）少なくとも１種のポリアミン又は多価アルコールとの界面付加重合によって得られるポリウレタン又はポリウレアマトリックスからなる完全に形成されたシェル及びコアを有する機能化粒子であって、基材に化学的に又は物理的に結合可能な機能化粒子。
【請求項２】
請求項１に記載の機能化粒子の製造方法であって、
水中油分散液を製造する工程及び、（ｉ）疎水性の油相中に溶解した、部分的にブロックされたポリイソシアネート及び繊維反応基で部分的に変性されたポリイソシアネートの群から選択される少なくとも１種のポリイソシアネート誘導体と（ｉｉ）水相中に溶解した、少なくとも１種のポリアミン又は多価アルコールの各分散油滴の周りの油−水界面で縮重合させる工程を含む方法。
【請求項３】
請求項１に記載の機能化微粒子で変性された化合物又は基材の製造方法であって、前記化合物又は基材と請求項１に記載の機能化微粒子を反応させて、該化合物又は基材に該微粒子を付着させることを含む方法。
【請求項４】
繊維反応基で部分的に変性されたポリイソシアネート。
【手続補正書】
【提出日】平成20年7月15日(2008.7.15)
【手続補正１】
【補正対象書類名】明細書
【補正対象項目名】００１６
【補正方法】変更
【補正の内容】
【００１６】
他の実施態様では、追加の基材上に配置されていて空洞に対して外側にある突起が気体分配衣服システムに含まれ、その追加の基材は、着用者の体と、空洞を形成している第２の基材の外側表面との間に挿入されている。挿入基材は好ましくは水蒸気透過性であり、気体透過性であってもよい。挿入層は空洞を形成している基材に取り付けてもよく、あるいはその空洞基材から離してもよい。
【手続補正書】
【提出日】平成20年8月4日(2008.8.4)
【手続補正１】
【補正対象書類名】特許請求の範囲
【補正対象項目名】全文
【補正方法】変更
【補正の内容】
【特許請求の範囲】
【請求項１】
実質的に整列した短い大径繊維を有する複数の繊維のクラスターと、実質的に整列した長い小径繊維を有する複数の繊維のクラスターとを含み、該長い小径繊維よりも該短い大径繊維が少ない、繊維状材料を含む繊維状分離媒体；及び、
該繊維状材料の底側を含浸する強化材であって、熱溶融型結合材が、該強化材を該繊維状分離媒体に結合させているもの；を含む、複合材料。
【請求項２】
前記強化材が、不織布ポリエステル繊維を含む、請求項１記載の複合材料。
【請求項３】
前記強化材が、親水性である、請求項１又は２記載の複合材料。
【請求項４】
実質的により大きな有形要素が、第二セットの細孔を通るよりも、第一セットの細孔を通って抜けることができるように、該第一セットの細孔が第一の方向で、かつ該第二セットの細孔が第二の方向で存在するという点で異方性である、請求項１〜３のいずれか１項記載の複合材料。
【請求項５】
前記短い大径繊維、及び前記長い小径繊維が、ガラス繊維である、請求項１〜４のいずれか１項記載の複合材料。
【請求項６】
前記長い小径繊維が、約６ｍｍ、約８ｍｍ、約１０ｍｍ、約１２ｍｍ、約１４ｍｍ、約１６ｍｍ、約１８ｍｍ、及び少なくとも約２０ｍｍからなる群から選択される長さを有すると同時に、少なくとも約５μ、約６μ、約７μ及び約８μからなる群から選択される直径を有する、請求項５記載の複合材料。
【請求項７】
前記短い大径繊維が、約５ｍｍ、約６ｍｍ、約７ｍｍ、約８ｍｍ及び約９ｍｍからなる群から選択される長さを有すると同時に、少なくとも約１３μ、約１４μ、約１５μ、約１６μ、約１７μ、約１８μ、約１９μ及び少なくとも約２０μからなる群から選択される直径を有する、請求項５又は６記載の複合材料。
【請求項８】
前記短い大径繊維に対する前記長い小径繊維の割合が、少なくとも約１対４、約１対３、及び約１対２からなる群から選択される、請求項５〜７のいずれか１項記載の複合材料。
【請求項９】
結合材が、前記ガラス繊維群を結合させる、請求項５〜８のいずれか１項記載の複合材料。
【請求項１０】
前記結合材が、前記ガラス繊維重量の約８％未満の量で加水分解ポリ酢酸ビニルを含む、請求項９記載の複合材料。
【請求項１１】
前記強化材が、液体不透過性材料及び半透性織布からなる群から選択される裏地をさらに含む、請求項１〜１０のいずれか１項記載の複合材料。
【請求項１２】
前記繊維状分離媒体が、レクチンをさらに含む、請求項１〜１１のいずれか１項記載の複合材料。
【請求項１３】
請求項１〜１２のいずれか１項記載の複合材料を含む、血液からの液体成分分離装置であって、前記繊維状分離媒体上方の隣接部が血液を受けるためのものであり、かつ該繊維状分離媒体の末端部が血液から液体成分を供給するためのものである、前記装置。
【請求項１４】
前記複合材料の末端部が、約４５°、約４０°、約３５°、約３０°、約２５°、約５０°、約５５°及び約６０°からなる群から選択される切断角によって規定される点として実質的に成形される、請求項１３記載の装置。
【請求項１５】
前記複合材料の末端部に隣接し、液体成分を吸収するが保持しないコレクタパッドをさらに含む、請求項１３又は１４記載の装置。
【請求項１６】
前記液体成分を集めるバルブを有する毛細管又はピペットをさらに含む、請求項１３〜１５のいずれか１項記載の装置。
【請求項１７】
前記複合材料の隣接部の上方の隣接流入ポートの上方に、くぼんだ弾性キャップをさらに含み、それによって、液体成分が空気圧によって送り出される、請求項１３〜１６のいずれか１項記載の装置。
【請求項１８】
血液、血漿及び血清に非混和性である高密度有機液体をさらに含む、請求項１３〜１７のいずれか１項記載の装置。
【請求項１９】
前記複合材料を保持する囲壁をさらに含む、請求項１３〜１８のいずれか１項記載の装置。
【請求項２０】
血液からの液体成分画分を調製する方法であって：
血液サンプルを、請求項１〜１２のいずれか１項記載の複合材料の繊維状分離媒体上方の隣接部に適用するステップ；及び、
該複合材料の末端部で該血液サンプルの液体成分区画を受けるステップ；を含む、前記方法。
【請求項２１】
血液からの液体成分画分を調製する方法であって：
血液サンプルを、請求項１３〜１９のいずれか１項記載の装置の繊維状分離媒体上方の隣接部に適用するステップ；及び、
該繊維状分離媒体の末端部で該血液サンプルの液体成分区画を受けるステップ；を含む、前記方法。
【請求項２２】
空気圧を利用して前記血液サンプルの前記液体成分画分を押し出すステップ、及び前記血液サンプルに非混和性である高密度有機液体を適用するステップからなる群から選ばれた、少なくとも１ステップをさらに含む、請求項２０又は２１記載の方法。
【請求項２３】
請求項１〜１２のいずれか１項記載の複合材料、又は請求項１３〜１９のいずれか１項記載の装置の複合材料を製造する方法であって：
短い大径繊維、及び長い小径繊維を提供し、前記繊維状分離媒体を形成するステップ；及び
該繊維状分離媒体の底側に強化材を、熱溶融型結合材を用いて結合させ前記複合材料を形成するステップを含む、前記方法。
【請求項２４】
はさみ込み点で、前記複合材料を圧迫するステップをさらに含む、請求項２３記載の方法。